(57)【要約】【課題】互いに並列に接続されてインターリーブ駆動される複数の共振型スイッチング回路部を備えて大電力化を図りつつ、装置全体をより小型化する。【解決手段】スイッチング素子４２１，４２２を有すると共に直流入力端子２ａ，２ｂと交流出力端子Ｐａ，Ｐｂとの間に並列接続されて、スイッチング素子４２１，４２２がオン・オフ駆動されることによって直流入力端子２ａ，２ｂから入力される直流入力電圧Ｖｉを交流出力電圧Ｖａｃに変換して交流出力端子Ｐａ，Ｐｂに出力する２つの共振型スイッチング回路部４１，４２と、交流出力端子Ｐａ，Ｐｂと直流出力端子３ａ，３ｂとの間に配設されて交流出力電圧Ｖａｃを直流出力電圧Ｖｏに変換して直流出力端子３ａ，３ｂから出力する１つの共振整流平滑回路部５ａと、スイッチング素子４２１，４２２をインターリーブ動作させるための駆動信号Ｖｐ１，Ｖｐ２を生成して出力する制御部６とを備えている。【選択図】図１
2018125994.tif 000002
【特許請求の範囲】
【請求項１】
スイッチング素子を有すると共に直流入力部と交流出力部との間に並列接続されて、前記スイッチング素子がオン・オフ駆動されることによって前記直流入力部から入力される直流入力電圧を交流出力電圧に変換して前記交流出力部に出力する複数の共振型スイッチング回路部と、
前記交流出力部と直流出力部との間に配設されて前記交流出力電圧を直流出力電圧に変換して当該直流出力部から出力する１つの共振整流平滑回路部と、
前記複数の共振型スイッチング回路の前記スイッチング素子をインターリーブ動作させるための駆動信号を生成して出力する制御部とを備えているスイッチング電源装置。
【請求項２】
前記共振型スイッチング回路部は、第１インダクタおよび前記スイッチング素子の直列回路、一端が前記第１インダクタおよび前記スイッチング素子の接続点に接続された第２共振インダクタ、並びに前記スイッチング素子に並列接続された第１共振キャパシタを備えると共に、前記第１インダクタおよび前記スイッチング素子の前記直列回路が前記直流入力部を構成する一対の直流入力端子間に接続され、前記第１インダクタおよび前記第２共振インダクタの直列回路が前記一対の直流入力端子のうちの一方の直流入力端子と前記交流出力部を構成する一対の交流出力端子のうちの一方の交流出力端子との間に接続され、かつ前記スイッチング素子の一対の端子のうちの前記接続点に接続されていない端子が前記一対の直流入力端子のうちの他方の直流入力端子と前記一対の交流出力端子のうちの他方の交流出力端子とに接続されている請求項１記載のスイッチング電源装置。
【請求項３】
前記共振整流平滑回路部は、第２共振キャパシタおよび共振整流素子の並列回路と、前記直流出力部を構成する一対の直流出力端子間に接続された平滑キャパシタとを備えると共に、前記並列回路が前記交流出力部と前記直流出力部との間に直列接続されて、共振整流平滑回路として構成されている請求項１または２記載のスイッチング電源装置。
【請求項４】
前記共振整流平滑回路部は、第２共振キャパシタおよび第３共振キャパシタの直列回路と、前記第３共振キャパシタに並列接続された第３共振インダクタと、前記第２共振キャパシタおよび前記第３共振キャパシタの接続点と前記直流出力部との間に接続された整流素子とを備えると共に、前記第２共振キャパシタおよび前記第３共振キャパシタの前記直列回路が前記交流出力部を構成する一対の交流出力端子間に接続されて、共振整流平滑回路として構成されている請求項１または２記載のスイッチング電源装置。
【請求項５】
前記共振整流平滑回路部は、第２共振キャパシタおよび第３共振キャパシタの直列回路と、第１巻線および第２巻線を有して当該第１巻線が前記第３共振キャパシタに並列接続された絶縁トランスと、前記第２巻線と前記直流出力部との間に接続された整流素子とを備えると共に、前記第２共振キャパシタおよび前記第３共振キャパシタの前記直列回路が前記交流出力部を構成する一対の交流出力端子間に接続されて、共振整流平滑回路として構成されている請求項１または２記載のスイッチング電源装置。
【発明の詳細な説明】
【技術分野】
【０００１】
本発明は、互いに並列に接続されてインターリーブ駆動される複数の共振型スイッチング回路部を備えたスイッチング電源装置に関するものである。
【背景技術】
【０００２】
この種のスイッチング電源装置として、下記の非特許文献１に開示されたスイッチング電源装置が知られている。このスイッチング電源装置１００は、図７に示すように、一対の直流入力端子１０２ａ，１０２ｂと一対の直流出力端子１０３ａ，１０３ｂとの間に、共振型スイッチング回路部としてのＥ級インバータ回路１４０１および共振整流平滑回路１５０１を有するコンバータと、共振型スイッチング回路部としてのＥ級インバータ回路１４０２および共振整流平滑回路１５０２を有するもう１つのコンバータとが並列に接続されて構成されて、直流入力端子１０２ａ，１０２ｂに入力される直流入力電圧Ｖｉを直流出力電圧Ｖｏに変換して直流出力端子１０３ａ，１０３ｂから出力可能に構成されている。また、このスイッチング電源装置１００は、直流入力端子１０２ｂおよび直流出力端子１０３ｂが共に共通グランドＧに接続されることで、非絶縁型コンバータ装置として構成されている。
【０００３】
具体的には、Ｅ級インバータ回路１４０１は、直流入力端子１０２ａ，１０２ｂのうちの一方の直流入力端子１０２ａに一端が接続された第１インダクタ１４１１、第１インダクタ１４１１の他端に一方の端子が接続されると共に直流入力端子１０２ａ，１０２ｂのうちの共通グランドＧに接続された直流入力端子１０２ｂに他方の端子が接続されたスイッチング素子１４２１、スイッチング素子１４２１に並列に接続された第１共振キャパシタ１４３１、および第１インダクタ１４１１の他端に一端が接続された第２共振インダクタ１４４１を備えている。また、Ｅ級インバータ回路１４０１の後段に接続された共振整流平滑回路１５０１は、第２共振インダクタ１４４１の他端にアノード端子が接続されると共に直流出力端子１０３ａ，１０３ｂのうちの一方の直流出力端子１０３ａにカソード端子が接続されたダイオード１５１１、ダイオード１５１１に並列に接続された第２共振キャパシタ１５２１、および直流出力端子１０３ａ，１０３ｂ間に接続された平滑キャパシタ１５３を備えている。
【０００４】
また、Ｅ級インバータ回路１４０２は、直流入力端子１０２ａに一端が接続された第１インダクタ１４１２、第１インダクタ１４１２の他端に一方の端子が接続されると共に直流入力端子１０２ｂに他方の端子が接続されたスイッチング素子１４２２、スイッチング素子１４２２に並列に接続された第１共振キャパシタ１４３２、および第１インダクタ１４１２の他端に一端が接続された第２共振インダクタ１４４２を備えている。また、Ｅ級インバータ回路１４０２の後段に接続された共振整流平滑回路１５０２は、第２共振インダクタ１４４２の他端にアノード端子が接続されると共に直流出力端子１０３ａにカソード端子が接続されたダイオード１５１２、ダイオード１５１２に並列に接続された第２共振キャパシタ１５２２および平滑キャパシタ１５３を備えている。
【０００５】
この構成により、このスイッチング電源装置１００では、Ｅ級インバータ回路１４０１および共振整流平滑回路１５０１を有するコンバータと、Ｅ級インバータ回路１４０２および共振整流平滑回路１５０２を有するもう１つのコンバータとが、平滑キャパシタ１５３を共用する形態で並列に接続されている。
【０００６】
このスイッチング電源装置１００では、Ｅ級インバータ回路１４０１，１４０２の各スイッチング素子１４２１，１４２２にインターリーブ動作させるための駆動電圧Ｖｐ１，Ｖｐ２（１８０°位相のずれた逆相の駆動電圧Ｖｐ１，Ｖｐ２）が供給されることにより、直流出力端子１０３ａ，１０３ｂから出力される直流出力電圧Ｖｏに生じるリップルの周波数を各スイッチング素子１４２１，１４２２のスイッチング周波数（駆動電圧Ｖｐ１，Ｖｐ２の周波数）の２倍にすることができ、これによってこの２つのコンバータのいずれか１つでスイッチング電源装置を構成する場合と比較して、１つのコンバータにかかる負担を軽減できる結果、出力容量を大きくしつつ（大電力化を図りつつ）、平滑キャパシタ１５３の容量を小さくすること（つまり、平滑キャパシタ１５３を小型化すること）、ひいては装置全体を小型化することが可能となっている。
【先行技術文献】
【非特許文献】
【０００７】
【非特許文献１】On the Ongoing Evolution of Very High Frequency Power Supplies, The Applied Power Electronics Conference and Exposition (APEC), 2013 Twenty-Eighth Annual IEEE, APEC 2013, PP 17-21, March 2013.
【発明の概要】
【発明が解決しようとする課題】
【０００８】
しかしながら、従来のスイッチング電源装置には、以下のような解決すべき課題が存在している。具体的には、この種のスイッチング電源装置に対して、さらなる小型化が望まれている。そのためには、更なる部品点数の削減が必要となるが、共振整流平滑回路部の平滑コンデンサを共用しているものの、共振型スイッチング回路部（上記のＥ級インバータ回路）および共振整流平滑回路部で構成されるコンバータのほぼ全体を単純に複数個並列に接続する従来のスイッチング電源装置では、この要望に応えることが難しいという課題が存在している。
【０００９】
本発明は、上記課題に鑑みてなされたものであり、互いに並列に接続されてインターリーブ駆動される複数の共振型スイッチング回路部を備えて大電力化を図りつつ、装置全体をより小型化し得るスイッチング電源装置を提供することを主目的とする。
【課題を解決するための手段】
【００１０】
上記目的を達成すべく、本発明に係るスイッチング電源装置は、スイッチング素子を有すると共に直流入力部と交流出力部との間に並列接続されて、前記スイッチング素子がオン・オフ駆動されることによって前記直流入力部から入力される直流入力電圧を交流出力電圧に変換して前記交流出力部に出力する複数の共振型スイッチング回路部と、前記交流出力部と直流出力部との間に配設されて前記交流出力電圧を直流出力電圧に変換して当該直流出力部から出力する１つの共振整流平滑回路部と、前記複数の共振型スイッチング回路の前記スイッチング素子をインターリーブ動作させるための駆動信号を生成して出力する制御部とを備えている。
【００１１】
これにより、複数の共振型スイッチング回路部が１つの共振整流平滑回路部を共用する構成のため、共振整流平滑回路部を共振型スイッチング回路部毎に個別に設ける従来例の構成と比較して、並列接続する共振型スイッチング回路部の数に関係なく共振整流平滑回路部を１つとすることができるため、その分だけ部品点数を削減することができ、これにより、大電力化を図りつつ、装置全体をより小型化することができる。
【００１２】
また、本発明に係るスイッチング電源装置は、前記共振型スイッチング回路部は、第１インダクタおよび前記スイッチング素子の直列回路、一端が前記第１インダクタおよび前記スイッチング素子の接続点に接続された第２共振インダクタ、並びに前記スイッチング素子に並列接続された第１共振キャパシタを備えると共に、前記第１インダクタおよび前記スイッチング素子の前記直列回路が前記直流入力部を構成する一対の直流入力端子間に接続され、前記第１インダクタおよび前記第２共振インダクタの直列回路が前記一対の直流入力端子のうちの一方の直流入力端子と前記交流出力部を構成する一対の交流出力端子のうちの一方の交流出力端子との間に接続され、かつ前記スイッチング素子の一対の端子のうちの前記接続点に接続されていない端子が前記一対の直流入力端子のうちの他方の直流入力端子と前記一対の交流出力端子のうちの他方の交流出力端子とに接続されている。
【００１３】
これにより、共振型スイッチング回路部を簡易な構成で実現することができる。
【００１４】
また、本発明に係るスイッチング電源装置は、前記共振整流平滑回路部は、第２共振キャパシタおよび共振整流素子の並列回路と、前記直流出力部を構成する一対の直流出力端子間に接続された平滑キャパシタとを備えると共に、前記並列回路が前記交流出力部と前記直流出力部との間に直列接続されて、共振整流平滑回路として構成されている
【００１５】
これにより、共振整流平滑回路部を簡易な構成で実現することができる。
【００１６】
また、本発明に係る本発明に係るスイッチング電源装置は、前記共振整流平滑回路部は、第２共振キャパシタおよび第３共振キャパシタの直列回路と、前記第３共振キャパシタに並列接続された第３共振インダクタと、前記第２共振キャパシタおよび前記第３共振キャパシタの接続点と前記直流出力部との間に接続された整流素子とを備えると共に、前記第２共振キャパシタおよび前記第３共振キャパシタの前記直列回路が前記交流出力部を構成する一対の交流出力端子間に接続されて、共振整流平滑回路として構成されている。
【００１７】
これにより、第３共振インダクタを備えた分だけ共振整流平滑回路部での共振周波数の設定の幅が広がるため、この共振周波数の設定が容易になる。
【００１８】
また、本発明に係る本発明に係るスイッチング電源装置は、前記共振整流平滑回路部は、第２共振キャパシタおよび第３共振キャパシタの直列回路と、第１巻線および第２巻線を有して当該第１巻線が前記第３共振キャパシタに並列接続された絶縁トランスと、前記第２巻線と前記直流出力部との間に接続された整流素子とを備えると共に、前記第２共振キャパシタおよび前記第３共振キャパシタの前記直列回路が前記交流出力部を構成する一対の交流出力端子間に接続されて、共振整流平滑回路として構成されている。
【００１９】
これにより、共振整流平滑回路部の絶縁トランスによって直流入力部側の基準電位と直流出力部側の基準電位とを磁界によって絶縁（電気的に分離）することができる。
【発明の効果】
【００２０】
本発明によれば、並列に接続された複数の共振型スイッチング回路部を備えつつ、装置全体をより小型化し得るスイッチング電源装置を提供することができる。
【図面の簡単な説明】
【００２１】
【図１】スイッチング電源装置１ａの構成図である。
【図２】スイッチング電源装置１ａの動作を説明するための波形図である。
【図３】スイッチング電源装置１ｂの構成図である。
【図４】スイッチング電源装置１ｂの動作を説明するための波形図である。
【図５】スイッチング電源装置１ｃの構成図である。
【図６】スイッチング電源装置１ｄの構成図である。
【図７】従来のスイッチング電源装置１００の構成図である。
【発明を実施するための形態】
【００２２】
以下、スイッチング電源装置の実施の形態について、図面を参照しつつ説明する。
【００２３】
スイッチング電源装置の一例としてのスイッチング電源装置１ａは、図１に示すように、直流入力部としての一対の直流入力端子２ａ，２ｂ、交流出力部としての一対の交流出力端子Ｐａ，Ｐｂ、直流出力部としての一対の直流出力端子３ａ，３ｂ、複数の共振型スイッチング回路部（同図では一例として２個の共振型スイッチング回路部４１，４２）、１つの共振整流平滑回路部５ａ、および制御部６を備え、直流入力端子２ａ，２ｂ間に入力される直流入力電圧Ｖｉに基づいて直流出力電圧Ｖｏを生成して直流出力端子３ａ，３ｂから出力可能に構成されている。なお、本例では一例として、直流入力電圧Ｖｉは、基準電位（本例では共通グランドＧ）に接続された直流入力端子２ｂを低電位側として、直流入力端子２ａ，２ｂ間に入力される。また、本例では、直流出力端子３ａ，３ｂのうちの直流出力端子３ｂも共通グランドＧに接続されて、スイッチング電源装置１ａが非絶縁型コンバータ装置として構成されるため、直流出力電圧Ｖｏは、直流出力端子３ｂを低電位側として、直流出力端子３ａ，３ｂ間から出力される。また、本例では、交流出力端子Ｐａ，Ｐｂのうちの交流出力端子Ｐｂも共通グランドＧに接続されている。
【００２４】
共振型スイッチング回路部４１，４２（以下、単にスイッチング回路部４１，４２ともいう）は、一例として同一の構成を備えたインバータ回路として構成されて、直流入力端子２ａ，２ｂと交流出力端子Ｐａ，Ｐｂとの間に並列接続されている。
【００２５】
具体的には、スイッチング回路部４１は、第１インダクタ４１１およびスイッチング素子４２１の直列回路、スイッチング素子４２１に並列接続された第１共振キャパシタ４３１、および一端が第１インダクタ４１１およびスイッチング素子４２１の接続点（第１接続点Ａ１）に接続された第２共振インダクタ４４１を備えている。また、スイッチング回路部４１では、第１インダクタ４１１およびスイッチング素子４２１の直列回路が一対の直流入力端子２ａ，２ｂ間に接続され、第１インダクタ４１１および第２共振インダクタ４４１の直列回路が一対の直流入力端子２ａ，２ｂのうちの一方の直流入力端子（この例では直流入力端子２ａ）と一対の交流出力端子Ｐａ，Ｐｂのうちの一方の交流出力端子（この例では交流出力端子Ｐａ）との間に接続され、かつスイッチング素子４２１の一対の端子のうちの第１接続点Ａ１に接続されていない端子が一対の直流入力端子２ａ，２ｂのうちの他方の直流入力端子（この例では直流入力端子２ｂ）と一対の交流出力端子Ｐａ，Ｐｂのうちの他方の交流出力端子（この例では交流出力端子Ｐｂ）とに接続されている。なお、第１共振キャパシタ４３１には、スイッチング素子４２１の出力容量（不図示）が含まれるものとする。
【００２６】
また、スイッチング回路部４２は、図１に示すように、第１インダクタ４１２、スイッチング素子４２２、第１共振キャパシタ４３２、および第２共振インダクタ４４２を備え、第１接続点Ａ２で互いに接続された第１インダクタ４１２およびスイッチング素子４２２の直列回路が一対の直流入力端子２ａ，２ｂ間に接続され、第１接続点Ａ２で互いに接続された第１インダクタ４１２および第２共振インダクタ４４２の直列回路が直流入力端子２ａと交流出力端子Ｐａとの間に接続され、かつスイッチング素子４２２の一対の端子のうちの第１接続点Ａ２に接続されていない端子が直流入力端子２ｂと交流出力端子Ｐｂとに接続されて、スイッチング回路部４１と同一に構成されている。なお、第１共振キャパシタ４３２には、スイッチング素子４２２の出力容量（不図示）が含まれるものとする。以上の構成を備えたスイッチング回路部４１，４２は、２相のＥ級インバータ回路として構成されている。
【００２７】
この場合、スイッチング素子４２１，４２２は、ＭＯＳＦＥＴ（Metal-Oxide-Semiconductor Field-Effect Ｔransistor）などの電界効果型トランジスタ、バイポーラトランジスタまたはＧａＮ（窒化ガリウム）デバイスなどで構成されている。
【００２８】
以上の構成を備えた各スイッチング回路部４１，４２は、制御部６から供給される後述の駆動電圧Ｖｐ１，Ｖｐ２でそれぞれのスイッチング素子４２１，４２２がインターリーブ駆動されることにより、直流入力端子２ａ，２ｂ間に入力される直流入力電圧Ｖｉを交流出力電圧Ｖａｃに変換して交流出力端子Ｐａ，Ｐｂに出力することが可能となっている。
【００２９】
共振整流平滑回路部５ａは、一例として、共振整流素子としてのダイオード５１、第２共振キャパシタ５２および平滑キャパシタ５３を備えて、共振整流平滑回路として構成されている。具体的には、ダイオード５１は、アノード端子が一方の交流出力端子Ｐａに接続され、カソード端子が一方の直流出力端子３ａに接続されている。第２共振キャパシタ５２は、ダイオード５１に並列に接続されている。なお、第２共振キャパシタ５２には、ダイオード５１のＰＮ接合容量が含まれるものとする。平滑キャパシタ５３は、直流出力端子３ａ，３ｂ間に接続されている。つまり、このスイッチング電源装置１ａでは、共振整流平滑回路部５ａは、各スイッチング回路部４１，４２によって共用される構成となっている。この構成により、共振整流平滑回路部５ａは、交流出力端子Ｐａ，Ｐｂ間に生じる交流出力電圧Ｖａｃを直流出力電圧Ｖｏに変換して直流出力端子３ａ，３ｂから出力することが可能となっている。
【００３０】
詳細には、共振整流平滑回路部５ａでは、定常状態において、平滑キャパシタ５３の両端の直流出力電圧Ｖｏを電圧源として、スイッチング素子４２１，４２２のオン／オフによってスイッチング素子４２１，４２２の両端に発生した直流分を含む交流成分電圧が第２共振インダクタ４４１，４４２と第２共振キャパシタ５２とで構成されるＬＣ共振回路に入力することで、交流出力端子Ｐａ，Ｐｂ間に共振電圧（交流出力電圧Ｖａｃ）が発生する。この場合、スイッチング素子４２１，４２２の両端に発生した上記の直流分を含む交流成分電圧の基本波周波数が上記のＬＣ共振回路の共振周波数に接近すればするほど交流出力電圧Ｖａｃの振幅が大きくなる。また、ダイオード５１の順方向導通電圧を無視できるとすると、交流出力電圧Ｖａｃが出力電圧Ｖｏより高くなると、ダイオード５１がオンにし、交流出力電圧Ｖａｃが直流出力電圧Ｖｏにクランプされる。また、交流出力電圧Ｖａｃが直流出力電圧Ｖｏより低くなるとダイオード５１がオフすることから、上記のＬＣ共振回路において共振が発生して、交流出力電圧Ｖａｃが振動することで、交流出力電圧Ｖａｃに負の共振ピークが生じる。また、図２に示すように、ダイオード５１のオンからオフへの切替時には第２共振キャパシタ５２の両端電圧がゼロで、ダイオード５１と第２共振キャパシタ５２の並列回路全体に流れる電流Ｉｒもゼロである。
【００３１】
制御部６は、直流出力電圧Ｖｏを検出しつつ、各スイッチング回路部４１，４２のスイッチング素子４２１，４２２をインターリーブ駆動するための駆動信号としての駆動電圧Ｖｐ１，Ｖｐ２を生成して出力する。本例では、並列接続されているスイッチング回路部の数が、スイッチング回路部４１，４２の２つであるため、駆動電圧Ｖｐ１，Ｖｐ２は、図２に示すように、互いの位相が１８０°（＝３６０°／２）ずれた信号（逆相の信号）となっている。なお、並列接続されているスイッチング回路部の数がｎ（３以上の数）のときには、制御部６が生成する駆動信号（駆動電圧Ｖｐ）の数もｎ個となり、ｎ個の駆動電圧Ｖｐは、互いの位相が３６０°／ｎずれた信号となる。これにより、本例では、２つのスイッチング回路部４１，４２（具体的には、スイッチング回路部４１，４２の各スイッチング素子４２１，４２２）は、交互にオン状態に移行する。
【００３２】
次に、スイッチング電源装置１ａの基本動作について、図２の定常動作波形図を参照して説明する。
【００３３】
まず、時間ｔ０から時間ｔ１までの期間での動作について説明する。
【００３４】
この期間では、スイッチング素子４２１のオン／オフを制御する制御部６からの駆動電圧Ｖｐ１は、スイッチング素子４２１をオンとするために時間ｔ（＝ｔ０）のときにハイレベルになり、その後、時間ｔ（＝ｔ１）までハイレベルを維持する。また、スイッチング素子４２２のオン／オフを制御する制御部６からの駆動電圧Ｖｐ２は、スイッチング素子４２２をオフとするために時間ｔ（＝ｔ０）のときにローレベルになり、その後、時間ｔ（＝ｔ１）までローレベルを維持する。
【００３５】
このため、スイッチング回路部４１，４２では、スイッチング素子４２１がオンとなり（導通状態となり）、スイッチング素子４２２はオフとなる（遮断状態となる）。これにより、スイッチング回路部４１では、スイッチング素子４２１の両端間の電圧Ｖ２１は零であり、第１共振キャパシタ４３１に流れる電流Ｉｃ１は零である。一方、スイッチング回路部４２では、第１インダクタ４１２、第２共振インダクタ４４２および第１共振キャパシタ４３２で構成されるネットワークの応答によって共振が生じ、これによって図２に示すような電流Ｉｃ２が第１共振キャパシタ４３２に流れる。この結果、スイッチング素子４２２の両端間の電圧Ｖ２２は、時間ｔ０のときの零から上昇し始め、その後、正の共振ピークに達した後に、時間ｔ１までに零に戻る（低下する）。
【００３６】
この期間において、共振整流平滑回路部５ａは、スイッチング回路部４１，４２から交流出力端子Ｐａ，Ｐｂ間に出力される交流出力電圧Ｖａｃを共振整流平滑することにより、リップル成分の周波数がスイッチング素子４２１，４２２のスイッチング周波数（駆動電圧Ｖｐ１，Ｖｐ２の周波数）の２倍となる直流出力電圧Ｖｏを生成して出力する。この場合、交流出力電圧Ｖａｃは、正弦波状の共振波形として発生するが、実際にダイオード５１の順方向導通電圧を無視できるとすると、図２に示すように、時間ｔ（＝ｔ０）のときの電圧値（直流出力電圧Ｖｏ）から低下し始め、その後、共振ピーク値まで低下すると共に、時間ｔ１までに直流出力電圧Ｖｏに達する（上昇する）。また、交流出力電圧Ｖａｃは、直流出力電圧Ｖｏに達した後は、ダイオード５１が導通状態となることから直流出力電圧Ｖｏにクランプされる。よって、交流出力電圧Ｖａｃは、図２に示すように逆となった半波状の波形で発生する。
【００３７】
次に、時間ｔ１から時間ｔ２までの期間での動作について説明する。
【００３８】
この期間では、スイッチング素子４２１のオン／オフを制御する駆動電圧Ｖｐ１は、スイッチング素子４２１をオフとするために時間ｔ（＝ｔ１）のときにローレベルになり、その後、時間ｔ（＝ｔ２）までにローレベルを維持する。また、スイッチング素子４２２のオン／オフを制御する駆動電圧Ｖｐ２は、スイッチング素子４２２をオンとするために時間ｔ（＝ｔ１）のときにハイレベルになり、その後、時間ｔ（＝ｔ２）までにハイレベルを維持する。
【００３９】
このため、スイッチング回路部４１，４２では、スイッチング素子４２２がオンとなり、スイッチング素子４２１はオフとなる。これにより、スイッチング回路部４２では、スイッチング素子４２２の両端間の電圧Ｖ２２は零であり、第１共振キャパシタ４３２に流れる電流Ｉｃ２は零である。一方、スイッチング回路部４１では、第１インダクタ４１１、第２共振インダクタ４４１および第１共振キャパシタ４３１で構成されるネットワークの応答によって共振が生じ、これによって図２に示すような電流Ｉｃ１が第１共振キャパシタ４３１に流れる。この結果、スイッチング素子４２１の両端間の電圧Ｖ２１は、時間ｔ１のときの零から上昇し始め、その後、正の共振ピークに達した後に、時間ｔ２までに零に戻る（低下する）。
【００４０】
この期間においても、共振整流平滑回路部５ａは、スイッチング回路部４１，４２から交流出力端子Ｐａ，Ｐｂ間に出力される交流出力電圧Ｖａｃを共振整流平滑することにより、リップル成分の周波数がスイッチング素子４２１，４２２のスイッチング周波数（駆動電圧Ｖｐ１，Ｖｐ２の周波数）の２倍となる直流出力電圧Ｖｏを生成して出力する。この場合、交流出力電圧Ｖａｃは、正弦波状の共振波形として発生するが、実際にダイオード５１の順方向導通電圧を無視できるとすると、図２に示すように、上記した時間ｔ０から時間ｔ１までの期間のときと同様にして、時間ｔ（＝ｔ１）のときの電圧値（直流出力電圧Ｖｏ）から低下し始め、その後、共振ピーク値まで低下すると共に、時間ｔ２までに直流出力電圧Ｖｏに達する（上昇する）。また、交流出力電圧Ｖａｃは、直流出力電圧Ｖｏに達した後は、ダイオード５１が導通状態となることから直流出力電圧Ｖｏにクランプされる。よって、交流出力電圧Ｖａｃは、図２に示すように逆となった半波状の波形で発生する。
【００４１】
その後の時間ｔ２から時間ｔ３までの期間では、駆動電圧Ｖｐ１はハイレベルを維持し、駆動電圧Ｖｐ２はローレベルを維持する。これにより、スイッチング回路部４１，４２および共振整流平滑回路部５ａは、上記した時間ｔ０から時間ｔ１までの期間のときと同様に動作する。また、その次の時間ｔ３から時間ｔ４までの期間では、駆動電圧Ｖｐ１はローレベルを維持し、駆動電圧Ｖｐ２はハイレベルを維持する。これにより、スイッチング回路部４１，４２および共振整流平滑回路部５ａは、上記した時間ｔ１から時間ｔ２までの期間のときと同様に動作する。つまり、図２に示すように、スイッチング素子４２１，４２２のオン／オフを制御するための各駆動電圧Ｖｐ１，Ｖｐ２が１８０°位相がずれ、かつ周期Ｔでハイレベルとなることにより、スイッチング回路部４１，４２および共振整流平滑回路部５ａは、上記した時間ｔ０から時間ｔ２までの期間のときの動作を周期Ｔで繰り返し実行する。
【００４２】
このように、このスイッチング電源装置１ａによれば、各スイッチング回路部４１，４２が１つの共振整流平滑回路部５ａを共用する構成のため、平滑キャパシタ５３を除く共振整流平滑回路部５ａの各構成要素（ダイオード５１および第２共振キャパシタ５２）で構成される不図示の共振整流平滑回路をスイッチング回路部４１，４２毎に個別に設ける従来例の構成と比較して、並列接続するスイッチング回路部４１，４２の数に関係なく共振整流平滑回路部５ａを１つとすることができるため、その分だけ部品点数を削減することができ、これにより、大電力化を図りつつ装置全体をより小型化することができる。
【００４３】
次に、スイッチング電源装置の他の一例としてのスイッチング電源装置１ｂについて、図３，４を参照して説明する。なお、スイッチング電源装置１ａと同一の構成については同一の符号を付して重複する説明を省略する。
【００４４】
まず、スイッチング電源装置１ｂの構成について説明する。スイッチング電源装置１ｂは、図３に示すように、一対の直流入力端子２ａ，２ｂ、一対の交流出力端子Ｐａ，Ｐｂ、一対の直流出力端子３ａ，３ｂ、複数の共振型スイッチング回路部（同図では一例として２個の共振型スイッチング回路部４１，４２）、１つの共振整流平滑回路部５ｂ、および制御部６を備え、直流入力端子２ａ，２ｂ間に入力される直流入力電圧Ｖｉに基づいて直流出力電圧Ｖｏを生成して直流出力端子３ａ，３ｂから出力可能に構成されている。このように、スイッチング電源装置１ｂは、共振整流平滑回路部５ａに代えて共振整流平滑回路部５ｂを使用している構成においてのみスイッチング電源装置１ａと相違し、他の構成についてはスイッチング電源装置１ａと同一に構成されている。
【００４５】
共振整流平滑回路部５ｂは、一例として、第２共振キャパシタ５２および第３共振キャパシタ５４の直列回路と、第３共振キャパシタ５４に並列接続された第３共振インダクタ５５と、第２共振キャパシタ５２および第３共振キャパシタ５４の接続点（第２接続点Ｂ）と直流出力端子３ａ，３ｂ（本例では直流出力端子３ａ）との間に接続されたダイオード５１とを備えると共に、第２共振キャパシタ５２および第３共振キャパシタ５４の直列回路が交流出力端子Ｐａ，Ｐｂ間に接続されて、共振整流平滑回路として構成されている。本例では、第２共振キャパシタ５２およびダイオード５１の直列回路が、交流出力端子Ｐａと直流出力端子３ａとの間に接続されるように、第２共振キャパシタ５２および第３共振キャパシタ５４の直列回路が交流出力端子Ｐａ，Ｐｂ間に接続されている。また、平滑キャパシタ５３は、直流出力端子３ａ，３ｂ間に接続されている。なお、第３共振キャパシタ５４には、ダイオード５１のＰＮ接合容量が含まれるものとする。これにより、このスイッチング電源装置１ｂにおいても、共振整流平滑回路部５ｂは、各スイッチング回路部４１，４２によって共用される構成となっている。
【００４６】
次に、スイッチング電源装置１ｂの基本動作について、図４の定常動作波形図を参照して説明する。
【００４７】
まず、時間ｔ０から時間ｔ１までの期間での動作について説明する。
【００４８】
この期間では、スイッチング素子４２１のオン／オフを制御する駆動電圧Ｖｐ１は、スイッチング素子４２１をオンとするために時間ｔ（＝ｔ０）のときにハイレベルになり、その後、時間ｔ（＝ｔ１）までハイレベルを維持する。また、スイッチング素子４２２のオン／オフを制御する駆動電圧Ｖｐ２は、スイッチング素子４２２をオフとするために時間ｔ（＝ｔ０）のときにローレベルになり、その後、時間ｔ（＝ｔ１）までローレベルを維持する。
【００４９】
このため、スイッチング回路部４１，４２では、スイッチング素子４２１がオンとなり、スイッチング素子４２２はオフとなる。これにより、スイッチング素子４２１の両端間の電圧Ｖ２１は零であり、第１共振キャパシタ４３１に流れる電流は零である。一方、スイッチング素子４２２の両端間の電圧Ｖ２２は、第１インダクタ４１２、第２共振インダクタ４４２および第１共振キャパシタ４３２で構成されるネットワークの応答によって共振が生じ、電流が第１共振キャパシタ４３２に流れる。この結果、スイッチング素子４２２の両端間の電圧Ｖ２２は、時間ｔ０のときの零から上昇し始め、その後、正の共振ピークに達した後に、時間ｔ１までに零に戻る（低下する）。
【００５０】
この期間において、共振整流平滑回路部５ａは、スイッチング回路部４１，４２から交流出力端子Ｐａ，Ｐｂ間に出力される交流出力電圧Ｖａｃを共振整流平滑することにより、リップル成分の周波数がスイッチング素子４２１，４２２のスイッチング周波数（駆動電圧Ｖｐ１，Ｖｐ２の周波数）の２倍となる直流出力電圧Ｖｏを生成して出力する。この場合、交流出力電圧Ｖａｃは、正弦波状の共振波形として発生するが、実際にダイオード５１の順方向導通電圧を無視できるとすると、図４に示すように、時間ｔ（＝ｔ０）のときの電圧値（直流出力電圧Ｖｏ）から低下し始め、その後、共振ピーク値まで低下すると共に、時間ｔ１までに直流出力電圧Ｖｏに達する（上昇する）。また、交流出力電圧Ｖａｃは、直流出力電圧Ｖｏに達した後は、ダイオード５１が導通状態となることから直流出力電圧Ｖｏにクランプされる。よって、交流出力電圧Ｖａｃは、図４に示すように逆となった半波状の波形で発生する。
【００５１】
次に、時間ｔ１から時間ｔ２までの期間での動作について説明する。
【００５２】
この期間では、スイッチング素子４２１のオン／オフを制御する駆動電圧Ｖｐ１は、スイッチング素子４２１をオフとするために時間ｔ（＝ｔ１）のときにローレベルになり、その後、時間ｔ（＝ｔ２）までローレベルを維持する。また、スイッチング素子４２２のオン／オフを制御する駆動電圧Ｖｐ２は、スイッチング素子４２２をオンとするために時間ｔ（＝ｔ１）のときにハイレベルになり、その後、時間ｔ（＝ｔ２）までハイレベルを維持する。
【００５３】
このため、スイッチング回路部４１，４２では、スイッチング素子４２２がオンとなり、スイッチング素子４２１はオフとなる。これにより、スイッチング回路部４２では、スイッチング素子４２２の両端間の電圧Ｖ２２は零であり、第１共振キャパシタ４３２に流れる電流は零である。一方、スイッチング回路部４１では、第１インダクタ４１１、第２共振インダクタ４４１および第１共振キャパシタ４３１で構成されるネットワークの応答によって共振が生じ、これによって電流が第１共振キャパシタ４３１に流れる。この結果、スイッチング素子４２１の両端間の電圧Ｖ２１は、時間ｔ１のときの零から上昇し始め、その後、正の共振ピークに達した後に、時間ｔ２までに零に戻る（低下する）。
【００５４】
この期間においても、共振整流平滑回路部５ａは、スイッチング回路部４１，４２から交流出力端子Ｐａ，Ｐｂ間に出力される交流出力電圧Ｖａｃを共振整流平滑することにより、リップル成分の周波数がスイッチング素子４２１，４２２のスイッチング周波数（駆動電圧Ｖｐ１，Ｖｐ２の周波数）の２倍となる直流出力電圧Ｖｏを生成して出力する。この場合、交流出力電圧Ｖａｃは、正弦波状の共振波形として発生するが、実際にダイオード５１の順方向導通電圧を無視できるとすると、図４に示すように、上記した時間ｔ０から時間ｔ１までの期間のときと同様にして、時間ｔ（＝ｔ１）のときの電圧値（直流出力電圧Ｖｏ）から低下し始め、その後、共振ピーク値まで低下すると共に、時間ｔ２までに直流出力電圧Ｖｏに達する（上昇する）。また、交流出力電圧Ｖａｃは、直流出力電圧Ｖｏに達した後は、ダイオード５１が導通状態となることから直流出力電圧Ｖｏにクランプされる。よって、交流出力電圧Ｖａｃは、図４に示すように逆となった半波状の波形で発生する。
【００５５】
その後の時間ｔ２から時間ｔ３までの期間では、駆動電圧Ｖｐ１はハイレベルを維持し、駆動電圧Ｖｐ２はローレベルを維持する。これにより、スイッチング回路部４１，４２および共振整流平滑回路部５ａは、上記した時間ｔ０から時間ｔ１までの期間のときと同様に動作する。また、その次の時間ｔ３から時間ｔ４までの期間では、駆動電圧Ｖｐ１はローレベルを維持し、駆動電圧Ｖｐ２はハイレベルを維持する。これにより、スイッチング回路部４１，４２および共振整流平滑回路部５ａは、上記した時間ｔ１から時間ｔ２までの期間のときと同様に動作する。つまり、図４に示すように、スイッチング素子４２１，４２２のオン／オフを制御するための各駆動電圧Ｖｐ１，Ｖｐ２が１８０°位相がずれ、かつ周期Ｔでハイレベルとなることにより、スイッチング回路部４１，４２および共振整流平滑回路部５ａは、上記した時間ｔ０から時間ｔ２までの期間のときの動作を周期Ｔで繰り返し実行する。
【００５６】
このように、このスイッチング電源装置１ｂにおいても、各スイッチング回路部４１，４２が１つの共振整流平滑回路部５ｂを共用する構成のため、スイッチング電源装置１ｂによっても、平滑キャパシタ５３を除く共振整流平滑回路部５ｂの各構成要素（ダイオード５１、第２共振キャパシタ５２、第３共振キャパシタ５４および共振インダクタ５５）で構成される不図示の共振整流平滑回路をスイッチング回路部４１，４２毎に個別に設ける従来例の構成と比較して、並列接続するスイッチング回路部４１，４２の数に関係なく共振整流平滑回路部５ｂを１つとすることができるため、その分だけ部品点数を削減することができ、これにより、大電力化を図りつつ装置全体をより小型化することができる。
【００５７】
なお、スイッチング電源装置を非絶縁共振型コンバータ装置として構成したスイッチング電源装置１ａ，１ｂについて上記したが、スイッチング電源装置はこれに限定されるものではなく、図５，６に示すスイッチング電源装置１ｃ，１ｄのように絶縁共振型コンバータ装置として構成して、直流入力端子２ａ，２ｂ側の基準電位（共通グランドＧ）と、直流出力端子３ａ，３ｂ側の基準電位（共通グランドＧ１）とを絶縁（電気的に分離）することもできる。以下、このスイッチング電源装置１ｃ，１ｄの構成および動作について説明する。なお、構成の説明においては、スイッチング電源装置１ｂと同一の構成については同一の符号を付して重複する説明を省略し、また動作の説明においても、スイッチング電源装置１ｂと同一の動作についての説明を省略する。
【００５８】
まず、スイッチング電源装置１ｃについて説明する。スイッチング電源装置１ｃは、図５に示すように、一対の直流入力端子２ａ，２ｂ、一対の交流出力端子Ｐａ，Ｐｂ、一対の直流出力端子３ａ，３ｂ、複数の共振型スイッチング回路部（同図では一例として２個の共振型スイッチング回路部４１，４２）、１つの共振整流平滑回路部５ｃ、および制御部６を備え、直流入力端子２ａ，２ｂ間に入力される直流入力電圧Ｖｉに基づいて直流出力電圧Ｖｏを生成して直流出力端子３ａ，３ｂから出力可能に構成されている。このように、スイッチング電源装置１ｃは、共振整流平滑回路部５ｂに代えて共振整流平滑回路部５ｃを使用している構成においてのみスイッチング電源装置１ｂと相違し、他の構成についてはスイッチング電源装置１ｂと同一に構成されている。
【００５９】
共振整流平滑回路部５ｃは、一例として、第２共振キャパシタ５２（本例では、２つの第２共振キャパシタ５２１，５２２で構成されている）および第３共振キャパシタ５４の直列回路と、第３共振キャパシタ５４に並列接続された第３共振インダクタ５５と、第２共振キャパシタ５２および第３共振キャパシタ５４の接続点（第２接続点Ｂ）と直流出力端子３ａ，３ｂ（本例では直流出力端子３ａ）との間に接続されたダイオード５１とを備えると共に、第２共振キャパシタ５２および第３共振キャパシタ５４の直列回路が交流出力端子Ｐａ，Ｐｂ間に接続されて、共振整流平滑回路として構成されている。本例では、第２共振キャパシタ５２および第３共振キャパシタ５４の直列回路は、２つの第２共振キャパシタ５２１，５２２間に第３共振キャパシタ５４が配置される接続形態で構成されており、第２共振キャパシタ５２１が交流出力端子Ｐａに接続され、第２共振キャパシタ５２２が交流出力端子Ｐｂに接続されている。また、第２接続点Ｂは、第２共振キャパシタ５２１および第３共振キャパシタ５４の接続点に規定されている。よって、第２共振キャパシタ５２１およびダイオード５１の直列回路は、交流出力端子Ｐａと直流出力端子３ａとの間に接続されている。また、平滑キャパシタ５３は、直流出力端子３ａ，３ｂ間に接続されている。これにより、このスイッチング電源装置１ｃにおいても、共振整流平滑回路部５ｃは、各スイッチング回路部４１，４２によって共用される構成となっている。
【００６０】
この構成、つまり、交流出力端子Ｐａに第２共振キャパシタ５２１が直列に接続されると共に、交流出力端子Ｐｂに第２共振キャパシタ５２２が直列に接続される構成により、この共振整流平滑回路部５ｃは、一対の第２共振キャパシタ５２１，５２２によって直流入力端子２ａ，２ｂ側の基準電位（共通グランドＧ）と直流出力端子３ａ，３ｂ側の基準電位（共通グランドＧ１）とを電界によって絶縁（直流的に分離）している。
【００６１】
次いで、スイッチング電源装置１ｃの動作について説明する。スイッチング電源装置１ｃでは、一対の第２共振キャパシタ５２１，５２２が全体としてスイッチング電源装置１ｂの第２共振キャパシタ５２と同等に機能する。このため、スイッチング電源装置１ｃでは、各スイッチング回路部４１，４２がスイッチング電源装置１ｂと同様に動作して、直流入力端子２ａ，２ｂ間に入力される直流入力電圧Ｖｉを交流出力電圧Ｖａｃに変換して交流出力端子Ｐａ，Ｐｂに出力し、共振整流平滑回路部５ｃが、この交流出力電圧Ｖａｃを共通グランドＧ側と絶縁した状態で直流出力電圧Ｖｏに変換して直流出力端子３ａ，３ｂから出力する。
【００６２】
このように、このスイッチング電源装置１ｃにおいても、各スイッチング回路部４１，４２が１つの共振整流平滑回路部５ｃを共用する構成のため、スイッチング電源装置１ｃによっても、平滑キャパシタ５３を除く共振整流平滑回路部５ｃの各構成要素（ダイオード５１、第２共振キャパシタ５２１，５２２、第３共振キャパシタ５４および共振インダクタ５５）で構成される不図示の共振整流平滑回路をスイッチング回路部４１，４２毎に個別に設ける従来例の構成と比較して、並列接続するスイッチング回路部４１，４２の数に関係なく共振整流平滑回路部５ｃを１つとすることができるため、その分だけ部品点数を削減することができ、これにより、大電力化を図りつつ装置全体をより小型化することができる。
【００６３】
次に、スイッチング電源装置１ｄについて説明する。スイッチング電源装置１ｄは、図６に示すように、一対の直流入力端子２ａ，２ｂ、一対の交流出力端子Ｐａ，Ｐｂ、一対の直流出力端子３ａ，３ｂ、複数の共振型スイッチング回路部（同図では一例として２個の共振型スイッチング回路部４１，４２）、１つの共振整流平滑回路部５ｄ、および制御部６を備え、直流入力端子２ａ，２ｂ間に入力される直流入力電圧Ｖｉに基づいて直流出力電圧Ｖｏを生成して直流出力端子３ａ，３ｂから出力可能に構成されている。このように、スイッチング電源装置１ｄは、共振整流平滑回路部５ｂに代えて共振整流平滑回路部５ｄを使用している構成においてのみスイッチング電源装置１ｂと相違し、他の構成についてはスイッチング電源装置１ｂと同一に構成されている。
【００６４】
共振整流平滑回路部５ｄは、一例として、第２共振キャパシタ５２および第３共振キャパシタ５４の直列回路と、第１巻線５６ａおよび第２巻線５６ｂを有して第１巻線５６ａが第３共振キャパシタ５４に並列接続された絶縁トランス５６と、第２巻線５６ｂの一端と直流出力端子３ａ，３ｂ（本例では直流出力端子３ａ）との間に接続されたダイオード５１とを備えると共に、第２共振キャパシタ５２および第３共振キャパシタ５４の直列回路が交流出力端子Ｐａ，Ｐｂ間に接続され、かつ第２巻線５６ｂの他端が直流出力端子３ｂ（共通グランドＧ１に接続されている端子）に接続されて、共振整流平滑回路として構成されている。本例では、第２共振キャパシタ５２および第３共振キャパシタ５４の直列回路は、第２共振キャパシタ５２が交流出力端子Ｐａに接続される接続形態で構成されている。また、平滑キャパシタ５３は、直流出力端子３ａ，３ｂ間に接続されている。これにより、このスイッチング電源装置１ｄにおいても、共振整流平滑回路部５ｄは、各スイッチング回路部４１，４２によって共用される構成となっている。
【００６５】
この構成により、この共振整流平滑回路部５ｄは、絶縁トランス５６によって直流入力端子２ａ，２ｂ側の基準電位（共通グランドＧ）と直流出力端子３ａ，３ｂ側の基準電位（共通グランドＧ１）とを磁界によって絶縁（電気的に分離）している。
【００６６】
次いで、スイッチング電源装置１ｄの動作について説明する。スイッチング電源装置１ｄでは、絶縁トランス５６の第１巻線５６ａがスイッチング電源装置１ｂの共振インダクタ５５と同等に機能する。このため、スイッチング電源装置１ｄでは、各スイッチング回路部４１，４２がスイッチング電源装置１ｂと同様に動作して、直流入力端子２ａ，２ｂ間に入力される直流入力電圧Ｖｉを交流出力電圧Ｖａｃに変換して交流出力端子Ｐａ，Ｐｂに出力し、共振整流平滑回路部５ｄが、この交流出力電圧Ｖａｃを共通グランドＧ側と絶縁した状態で直流出力電圧Ｖｏに変換して直流出力端子３ａ，３ｂから出力する。
【００６７】
このように、このスイッチング電源装置１ｄにおいても、各スイッチング回路部４１，４２が１つの共振整流平滑回路部５ｄを共用する構成のため、スイッチング電源装置１ｄによっても、平滑キャパシタ５３を除く共振整流平滑回路部５ｄの各構成要素（ダイオード５１、第２共振キャパシタ５２、第３共振キャパシタ５４および絶縁トランス５６）で構成される不図示の共振整流平滑回路をスイッチング回路部４１，４２毎に個別に設ける従来例の構成と比較して、並列接続するスイッチング回路部４１，４２の数に関係なく共振整流平滑回路部５ｄを１つとすることができるため、その分だけ部品点数を削減することができ、これにより、大電力化を図りつつ装置全体をより小型化することができる。
【００６８】
以上、スイッチング電源装置について、種々の実施の形態を挙げて説明したが、上記した実施の形態の構成に限定されず、種々の変形実施が可能である。例えば、直流入力端子２ａ，２ｂと交流出力端子Ｐａ，Ｐｂとの間に並列に接続される複数のスイッチング回路部については、上記したスイッチング回路部４１，４２の構成（スイッチング回路部４１を例に挙げると、図１に示すように互いに接続された第１インダクタ４１１、スイッチング素子４２１、第１共振キャパシタ４３１および第２共振インダクタ４４１を備えた構成）に限定されず、種々の公知の構成を採用することもできる。また、直流入力端子２ａ，２ｂと交流出力端子Ｐａ，Ｐｂとの間に並列に接続するスイッチング回路部の数については、上記した２個に限定されず、３個以上の任意の個数とすることもできる。
【００６９】
また、上記のスイッチング回路部４１，４２では、第１インダクタ４１１および第２共振インダクタ４４１の直列回路と、第１インダクタ４１２および第２共振インダクタ４４２の直列回路とを、直流入力端子２ａと交流出力端子Ｐａとの間に接続し、かつスイッチング素子４２１の第１接続点Ａ１に接続されていない端子およびスイッチング素子４２２の第１接続点Ａ２に接続されていない端子を直流入力端子２ｂと交流出力端子Ｐｂとに接続する構成を採用しているが、これに限定されるものではない。例えば、第１インダクタ４１１および第２共振インダクタ４４１の直列回路と、第１インダクタ４１２および第２共振インダクタ４４２の直列回路とを、直流入力端子２ｂと交流出力端子Ｐｂとの間に接続し（共通グランドＧ側に配置し）、かつスイッチング素子４２１の第１接続点Ａ１に接続されていない端子およびスイッチング素子４２２の第１接続点Ａ２に接続されていない端子を直流入力端子２ａと交流出力端子Ｐａとに接続する構成を採用することもできる。
【符号の説明】
【００７０】
１ａ，１ｂ，１ｃ，１ｄ  スイッチング電源装置
２ａ，２ｂ  直流入力端子
３ａ，３ｂ  直流出力端子
４１，４２  スイッチング回路部
５ａ，５ｂ，５ｃ，５ｄ  共振整流平滑回路部
６  制御部
４１１，４１２  第１インダクタ
４２１，４２２  スイッチング素子
４３１，４３２  第１共振キャパシタ
４４１，４４２  第２共振インダクタ
５１  ダイオード
５２  第２共振キャパシタ
５３  平滑キャパシタ
５４  第３共振キャパシタ
Ｖａｃ  交流出力電圧
Ｖｉ  直流入力電圧
Ｖｏ  直流出力電圧
Ｖｐ１，Ｖｐ２  駆動電圧
Ｐａ，Ｐｂ  交流出力端子
【図１】
2018125994.tif 000003
【図２】
2018125994.tif 000004
【図３】
2018125994.tif 000005
【図４】
2018125994.tif 000006
【図５】
2018125994.tif 000007
【図６】
2018125994.tif 000008
【図７】
2018125994.tif 000009